(57)【要約】 【課題】防水機能を有し、アンテナ利得の低下を防止すると共に、広帯域の特性を有するアンテナを小型の筐体内に収容可能な携帯無線機を提供する。【解決手段】第１ケース１１と第２ケース１２とが組み合わされる筐体１０を有する携帯無線機であって、第１ケース１１と第２ケース１２とで挟持された環状弾性部材１３と、環状弾性部材１３と一体に形成され、環状弾性部材１３で囲まれた領域内に配設されたフレキシブルプリント基板１４と、フレキシブルプリント基板１４上に、第１ケース１１及び第２ケース１２の少なくとも一方が有する互いに方向が異なる複数の内壁面に沿って配設されるアンテナ部１５と、環状弾性部材１３で囲まれた領域内に配設された回路基板１７と、を備えている。【選択図】図２
2011035822.tif 000002
【特許請求の範囲】
【請求項１】
第１ケースと第２ケースとが組み合わされる筐体を有する携帯無線機であって、
前記第１ケースと前記第２ケースとで挟持された環状弾性部材と、
前記環状弾性部材と一体に形成され、少なくとも前記環状弾性部材で囲まれた領域内に配設されたフレキシブルプリント基板と、
前記フレキシブルプリント基板上に、前記第１ケース及び前記第２ケースの少なくとも一方が有する互いに方向が異なる複数の内壁面に沿って折り曲げ状態で配設されるアンテナ部と、
前記環状弾性部材で囲まれた領域内に配設された回路基板と、
を備える携帯無線機。
【請求項２】
請求項１に記載の携帯無線機であって、
前記第１ケース及び前記第２ケースの少なくとも一方が、前記アンテナ部を前記内壁面に沿う状態で前記内壁面との間で挟持するアンテナ保持部を備える携帯無線機。
【請求項３】
請求項１に記載の携帯無線機であって、
前記第１ケース及び前記第２ケースの少なくとも一方が、前記アンテナ部を前記内壁面に沿う状態で挟持する凹部を有するアンテナ保持部を備える携帯無線機。
【請求項４】
請求項１ないし３のいずれか１項に記載の携帯無線機であって、更に、
前記フレキシブルプリント基板上に、前記回路基板と対向する前記内壁面に沿って配設され、前記アンテナ部と電気的に接続された第１給電部と、
前記回路基板上に配設された電気回路部と、
前記電気回路部に電気的に接続された第２給電部と、
を備え、
前記第１給電部と前記第２給電部とは対向して配設された携帯無線機。
【発明の詳細な説明】
【技術分野】
【０００１】
本発明は、例えば携帯電話端末、携帯型情報端末（ＰＤＡ）、携帯型音楽プレーヤ、携帯型ゲーム機等に利用可能な携帯無線機に関し、特に筐体内部に収容されるアンテナならびに防水機能を実現するための構造に関する。
【背景技術】
【０００２】
無線通信用のアンテナの性能については、アンテナ素子とグランドとの距離に大きく依存する。すなわち、アンテナ素子とグランドとの距離が小さくなるに従って放射抵抗が下がりアンテナの利得が低下する。
【０００３】
例えば携帯電話端末のような携帯無線機においては、近年ではデザイン性の観点からアンテナを筐体に内蔵するのが主流になっている。また、携帯無線機では、大きさや厚みが小さい筐体の内部に、様々な機能を実現する多数の電気部品等を収容する必要があり、電子回路が搭載されるプリント基板の大きさが筐体の内空間の大部分を占める程度になってしまうのが実情である。また、静電シールドなどの目的のために、プリント基板の大部分にグランドパターンを形成しているのが一般的である。従って、筐体の内部にアンテナ素子を内蔵する場合、通常はアンテナ利得の低下を防止するために、筐体内部の端部近傍にアンテナ素子を配置し、このアンテナ素子とプリント基板の上のグランドパターンとの距離を大きくする。
【０００４】
ところで、近年の携帯無線機においては、防水性や防塵性の機能が求められている。従って、筐体の外部から筐体内部のプリント基板等の箇所に水分が侵入するのを防止するために、筐体の端部には、防水用、防塵用のパッキン等の部材をプリント基板等の電気回路を囲むように配置することがある。
【０００５】
しかし、防水用、防塵用のパッキンを筐体内部の端部に配置すると、このパッキンによって筐体内の残された空間が狭くなる。そして、筐体の端部にアンテナ素子を配置できず、パッキンよりも内側にアンテナ素子を配置することになるので、アンテナ素子とプリント基板との距離が小さくなり、アンテナの特性が劣化してしまう。
【０００６】
防水構造の携帯無線機に関する従来技術は、例えば特許文献１に開示されている。特許文献１においては、筐体が上ケースと下ケースとで構成され、上ケースと下ケースとの連結部に額縁型の防水パッキンが存在し、アンテナ素子が防水パッキンの内部に埋設されるように構成することを開示している。
【先行技術文献】
【特許文献】
【０００７】
【特許文献１】特開平６−３７８７６号公報
【発明の概要】
【発明が解決しようとする課題】
【０００８】
しかしながら、特許文献１に開示された従来技術では、採用するアンテナ素子として直線状の素子しか構成できないため、アンテナ性能が単共振かつ狭帯域になってしまう。また、アンテナ素子の素子長調整が困難であり、広帯域化のために回路部品を追加することも困難である。
【０００９】
一方、特許文献１の技術を採用しない場合は、パッキン等の部材との位置関係のため、アンテナ素子を筐体の周辺部に配置するのが困難であった。従って、アンテナ素子を回路基板のグランドパターンから離れた位置に配置するためには、すなわちアンテナ利得が低下するのを防止するためには、筐体のサイズを大きくする必要があった。特に、広帯域の特性を有するアンテナを構成するためには、幅の大きいアンテナ素子を用いる必要があり、小型の筐体内に回路基板から十分な距離を隔てて配置するのは困難であった。
【００１０】
本発明は、上記事情に鑑みてなされたものであって、防水機能を有し、アンテナ利得の低下を防止すると共に、広帯域の特性を有するアンテナを小型の筐体内に収容可能な携帯無線機を提供することを目的とする。
【課題を解決するための手段】
【００１１】
本発明の携帯無線機は、第１ケースと第２ケースとが組み合わされる筐体を有する携帯無線機であって、前記第１ケースと前記第２ケースとで挟持された環状弾性部材と、前記環状弾性部材と一体に形成され、少なくとも前記環状弾性部材で囲まれた領域内に配設されたフレキシブルプリント基板と、前記フレキシブルプリント基板上に、前記第１ケース及び前記第２ケースの少なくとも一方が有する互いに方向が異なる複数の内壁面に沿って折り曲げ状態で配設されるアンテナ部と、前記環状弾性部材で囲まれた領域内に配設された回路基板と、を備える。
【００１２】
この携帯無線機によれば、アンテナ部が互いに異なる方向の内壁面に沿うように折り曲げられているので、幅の広いアンテナ部を筐体内の狭い空間に収容することが可能になる。例えば、筐体の底部方向や筐体の厚み方向に沿うように部分的に折り曲げてアンテナ部の形状を構成することにより、狭い空間に収容できる。そのため、筐体が小型であっても、筐体内の回路基板とアンテナ部とを離間してアンテナ利得の低下を抑制できる。また、幅の広い導電体パターンを用いることにより、アンテナの特性を広帯域化できる。
【００１３】
また、本発明の携帯無線機は、前記第１ケース及び前記第２ケースの少なくとも一方が、前記アンテナ部を前記内壁面に沿う状態で前記内壁面との間で挟持するアンテナ保持部を備える。
【００１４】
この携帯無線機によれば、フレキシブルプリント基板上のアンテナ部に折り曲げられる前の形状に復元しようとする力が発生した場合であっても、内壁面に沿う状態でフレキシブルプリント基板上のアンテナ部の形状を保持できるので、アンテナ部の形状を安定化させることができ、製造上の形状のばらつきを抑制し、アンテナ特性を安定化させることができる。
【００１５】
また、本発明の携帯無線機は、前記第１ケース及び前記第２ケースの少なくとも一方が、前記アンテナ部を前記内壁面に沿う状態で挟持する凹部を有するアンテナ保持部を備える。
【００１６】
この携帯無線機によれば、フレキシブルプリント基板上のアンテナ部に折り曲げられる前の形状に復元しようとする力が発生した場合であっても、内壁面に沿う状態でフレキシブルプリント基板上のアンテナ部の形状を保持できるので、アンテナ部の形状を安定化させることができ、製造上の形状のばらつきを抑制し、アンテナ特性を安定化させることができる。
【００１７】
また、本発明の携帯無線機は、前記フレキシブルプリント基板上に、前記回路基板と対向する前記内壁面に沿って配設され、前記アンテナ部と電気的に接続された第１給電部と、前記回路基板上に配設された電気回路部と、前記電気回路部に電気的に接続された第２給電部と、を備え、前記第１給電部と前記第２給電部とは対向して配設されている。
【００１８】
この携帯無線機によれば、複数の無線通信システムを設けたり、また、ダイバーシティを行う無線通信システムを行うために、フレキシブル基板上に複数のアンテナ部を搭載しても、アンテナ部を対向して配置することで各アンテナ間の空間アイソレーションなど確保することができ、かつ、各アンテナの利得の低下や広帯域化を図ることが可能である。
【発明の効果】
【００１９】
本発明によれば、防水機能を有し、アンテナ利得の低下を防止すると共に、広帯域の特性を有するアンテナを小型の筐体内に収容可能である。
【図面の簡単な説明】
【００２０】
【図１】本発明の実施形態における携帯無線機内部の主要な構成要素の配置状態を表す斜視図
【図２】図１に示した携帯無線機のＡ−Ａ’線断面図
【図３】図１に示した携帯無線機の主要な構成要素を表す分解斜視図
【図４】図３のＢ−Ｂ’線の位置から見た部分拡大断面図
【図５】図１に示した携帯無線機が備えるフレキシブルプリント基板の全体形状の一例を表す平面図
【図６】図１に示した携帯無線機におけるアンテナ部の近傍の一例を表す部分拡大斜視図
【図７】本発明の実施形態における変形例１の携帯無線機におけるフレキシブルプリント基板の近傍の構成の一例を表す部分拡大断面図
【図８】本発明の実施形態における変形例２の携帯無線機におけるフレキシブルプリント基板の近傍の構成の一例を表す部分拡大断面図
【図９】本発明の実施形態における変形例３の携帯無線機内部の主要な構成要素の配置状態を表す斜視図
【図１０】図９に示した携帯無線機におけるアンテナ部の近傍の一例を表す部分拡大斜視図
【図１１】本発明の実施形態における変形例４の携帯無線機内部の主要な構成要素の配置状態を表す斜視図
【図１２】図１１に示した携帯無線機におけるアンテナ部の近傍の一例を表す部分拡大斜視図
【図１３】本発明の実施形態における変形例５の携帯無線機内部の主要な構成要素の配置状態を表す斜視図
【図１４】図１３に示した携帯無線機におけるアンテナ部の近傍の一例を表す部分拡大斜視図
【図１５】本発明の実施形態における変形例６の携帯無線機内部の主要な構成要素の配置状態を表す斜視図
【図１６】図１５に示した携帯無線機におけるアンテナ部の近傍の一例を表す部分拡大斜視図である。
【図１７】本発明の実施形態における変形例７の携帯無線機内部の主要な構成要素の配置状態を表す斜視図
【発明を実施するための形態】
【００２１】
本発明の実施形態における携帯無線機について、図面を参照しながら以下に説明する。
【００２２】
図１は本発明の実施形態における携帯無線機内部の主要な構成要素の配置状態の概要を示す図である。なお、図１では、筐体を透過して内部の構成要素が見えるように、筐体については外周の輪郭だけを示している。また、図２は、図１のＡ−Ａ’線断面をＸ軸方向から見た状態の一例を示す図である。また、図３は、図１に示した携帯無線機を分解した状態の一例を示す斜視図である。また、図４は、図３のＢ−Ｂ’線断面をＹ軸方向から見た状態の一例を示す分解斜視図である。
【００２３】
図１に示す携帯無線機は、例えば携帯電話端末であり、無線通信機能およびアンテナを搭載している。この携帯無線機の筐体１０は、形状が変化しない固定形状であり、図３に示す第１ケース１１と第２ケース１２とを厚み方向（Ｚ軸方向）に組み合わせ、例えば嵌め合わせることにより構成される。この筐体１０の内空間には、図３に示すように電気回路部１８を搭載した回路基板１７と、フレキシブルプリント基板１４と、環状弾性部材１３とが収容される。
【００２４】
実際には、環状弾性部材１３とフレキシブルプリント基板１４とは一体成形により一体化された１つの部品として構成してある。例えば、予め形成したフレキシブルプリント基板１４を所定の型に装着し、環状弾性部材１３の材料を流動状態で上記型の内空間に流し込み固化させることにより、フレキシブルプリント基板１４と環状弾性部材１３を一体化することができる。
【００２５】
フレキシブルプリント基板１４上には、例えば金属（導電体）の印刷パターンとして形成された（通常は印刷された銅箔をエッチング等で所定の形状に加工して形成）アンテナ部１５が搭載されている。
【００２６】
図１、図３に示すように、筐体１０および回路基板１７の平面形状は例えば矩形である。回路基板１７は、ＸＹ平面において環状弾性部材１３の内側に収容される。
【００２７】
図５は、フレキシブルプリント基板１４の全体形状の一例を示す図である。図５に示す例では、フレキシブルプリント基板１４の形状は、回路基板１７の外周全体を取り囲むことができるように略環状（額縁形状）に形成されている。すなわち、フレキシブルプリント基板１４は４つの辺部３０ａ、３０ｂ、３０ｃ、３０ｄを有し、外周の輪郭および内周の輪郭がそれぞれ略矩形状に形成されており、フレキシブルプリント基板１４の内周の輪郭の大きさは回路基板１７の外周の大きさよりも少し大きく形成され、フレキシブルプリント基板１４の外周の輪郭の大きさは内周の輪郭よりも少し大きく形成されている。また、フレキシブルプリント基板１４の外周の輪郭の大きさは筐体１０の内空間に収容可能な大きさになっている。
【００２８】
従って、図１に示すように、筐体１０の外周に近い位置に沿うように、環状弾性部材１３内に、フレキシブルプリント基板１４が配置され、フレキシブルプリント基板１４の内周の内側に回路基板１７を配置することができる。なお、フレキシブルプリント基板１４の形状については必ずしも回路基板１７を取り囲むように環状に形成する必要はなく、アンテナ部１５が存在する箇所の近傍だけに配置してもよい。また、フレキシブルプリント基板の一部を環状弾性部材の外側にはみ出すように構成してもよい。
【００２９】
図５に示すように、本実施形態の携帯無線機は、フレキシブルプリント基板１４上に、Ｘ軸方向に沿って細長く延びた矩形状のアンテナ部１５とアンテナ部１５と電気的に接続された第１給電部１９とを有している。第１給電部１９は、アンテナ部１５と同様に、例えば印刷パターンにより形成される。なお、第１給電部１９のアンテナ部１５側の一部は、アンテナ部１５として機能してもよい。アンテナ部１５はフレキシブルプリント基板１４上の１つの辺部３０ａに配置されている。アンテナ部１５の幅ｗ１は、フレキシブルプリント基板１４の辺部３０ａの幅ｗ２よりも少し小さい程度の寸法に形成されている。
【００３０】
また、予め定めた基準軸３１に沿ってフレキシブルプリント基板１４の折り曲げ部１４ｂが折り曲げ変形可能となるように、フレキシブルプリント基板１４には、折り曲げ部１４ｂの両端部に切り込み３２、３３が形成されている。基準軸３１の位置は、例えば辺部３０ａの幅方向（Ｙ軸方向）の中央付近に定められるが、これに限られない。辺部３０ａの幅やアンテナ部１５の幅に応じて柔軟に設定可能である。フレキシブルプリント基板１４の折り曲げ部１４ｂ（切り込み３２、３３の間の領域）を基準軸３１に沿って折り曲げると、折り曲げ部１４ｂと共にアンテナ部１５の一部分である折り曲げ部１５ａも折り曲げられる。
【００３１】
アンテナ部１５への給電のための電気接続を容易にするために、フレキシブルプリント基板１４の辺部３０ａの一端近傍には、内周側、すなわち回路基板１７に向かって例えば細長く延びる（延設される）矩形状の延出部１４ａが形成されている。アンテナ部１５と電気的に接続されている導電性の第１給電部１９は、延出部１４ａの先端近傍まで例えば細長く延びている。
【００３２】
環状弾性部材１３は、主に防水機能を実現するための弾性を有する部材であり、例えばゴムパッキンである。環状弾性部材１３の平面形状はフレキシブルプリント基板１４と同様に環状であり、環状弾性部材１３の内周、外周共に平面形状は例えば矩形に形成されている。環状弾性部材１３の外周の大きさは、フレキシブルプリント基板１４の外周よりも大きく、且つ筐体１０の内空間に収容できる大きさに形成されている。
【００３３】
また、図４に示すように、環状弾性部材１３には環状防水部２１と延長部２２とが一体に形成されている。環状防水部２１は、Ｚ軸方向の上端および下端に中央部がそれぞれ突出した曲面形状を有し、断面形状は略楕円形状を有している。延長部２２は環状防水部２１の一部分から内周側、すなわち回路基板１７に向かう方向に延び（延設され）、平板形状に形成されている。環状防水部２１の厚み寸法は、延長部２２の厚み寸法よりも十分に大きくなっている。
【００３４】
図４に示すように、フレキシブルプリント基板１４は、一部分（例えば幅方向の半分程度の領域）を厚み方向に延長部２２と重ねた状態で固定（一体化）され、フレキシブルプリント基板１４の外周側端部は環状防水部２１に沿って配置される。なお、フレキシブルプリント基板１４の外周側端部近傍が環状防水部２１の内部に埋め込まれるような位置関係でフレキシブルプリント基板１４と環状弾性部材１３とを一体化しても良い。
【００３５】
防水機能を持たせるために、すなわち環状防水部２１とそれを挟持する筐体１０内壁面との間隙を無くしかつ適度な押圧力を与えるために、第１ケース１１側に形成された弾性部材保持部１１ａおよび第２ケース１２側に形成された弾性部材保持部１２ａは、それぞれ環状防水部２１の形状に合わせて曲面状の凹部が形成されている。また、環状弾性部材１３の形状及び大きさに合わせて、弾性部材保持部１１ａ、１２ａは環状に形成されている。
【００３６】
フレキシブルプリント基板１４の折り曲げ部１４ｂを折り曲げた状態で保持するために、図２に示すように、第１ケース１１の底部内壁面には折り曲げ状態保持部１１ｂが形成されている。この折り曲げ状態保持部１１ｂは、例えば第１ケース１１の底面から上方（Ｚ軸方向）に向かって突出した突起であり、Ｘ軸方向に沿ってリブ状に延びている。この折り曲げ状態保持部１１ｂとそれに対向する第１ケース１１の内壁面との間に狭い凹部が形成されており、この凹部にフレキシブルプリント基板１４の折り曲げ部１４ｂが差し込まれる。そして、折り曲げ部１４ｂは折り曲げ状態保持部１１ｂとそれに対向する内壁面との間で挟持されるので、折り曲げられた状態で形状が保持される。
【００３７】
従って、図２に示すように、フレキシブルプリント基板１４は、底部内壁面（Ｙ軸方向）に沿って配置される領域と、側部内壁面（Ｚ軸方向）に沿って配置される領域である折り曲げ部１４ｂとを有する状態で筐体１０内に組み込まれる。また、フレキシブルプリント基板１４上のアンテナ部１５についても、図５に示す折り曲げ部１５ａは折り曲げ部１４ｂと共に折り曲げられ、Ｚ軸方向に沿って配置される。なお、フレキシブルプリント基板１４の折り曲げ状態の保持については必ずしも折り曲げ形状保持部１１ｂとそれに対向する第１ケース１１の内壁面との間の狭い凹部を用いて保持する必要はなく、フレキシブルプリント基板と第1ケース１１の内壁面を両面テープや接着剤などを用いて保持してもよい。
【００３８】
このため、図２に示す状態では、フレキシブルプリント基板１４上のアンテナ部１５のＹ軸方向の幅は、図５に示す幅ｗ１と比べて十分に小さくなる。従って、アンテナ部１５の幅ｗ１が大きい場合であっても、折り曲げ部１５ａと回路基板１７とのＹ軸方向の距離を十分に大きくすることができる。幅ｗ１の大きいアンテナ部１５を採用することにより、アンテナの特性を広帯域にすることができる。また、アンテナ部１５と回路基板１７上のグランド部（図示せず）との距離を大きくすることにより、アンテナの放射抵抗の低下を防止し、アンテナ利得の低下を防止できる。なお、グランド部は、例えば印刷パターンにより形成される。
【００３９】
図１に示すように、回路基板１７上には無線部２６が搭載されている。無線部２６は、アンテナ部１５を介して無線信号（電波）の送受信を行うための電気回路である。無線部２６は、整合回路２４および給電部１６を介してフレキシブルプリント基板１４上のアンテナ部１５と電気的に接続されている。整合回路２４は、無線部２６とアンテナ部１５との間でインピーダンスを整合する回路である。
【００４０】
図６は、図１に示した携帯無線機の給電部１６の近傍を拡大した状態の一例を示す図である。回路基板１７上の所定位置には、導電体により構成される第２給電部の一例としての給電ピン２３が回路基板１７から突出して設けられている。この給電ピン２３は回路基板１７上に設けられた電極である給電ランド２５を介して整合回路２４と電気的に接続されている。フレキシブルプリント基板１４の周縁部から内周側に向かって延びる延出部１４ａは、第２ケース１２の内周壁に沿って配置され、延出部１４ａの先端部が給電ピン２３と厚み方向（Ｚ軸方向）に対向する位置まで達している。
【００４１】
そして、図２に示すように、延出部１４ａ上の第１給電部１９の電極と給電ピン２３とが対向してこれらが電気的に接続された状態になり、給電部１６でこの状態が維持されるように第１ケース１１、第２ケース１２により厚み方向に押圧される。延出部１４ａは、上方（Ｚ軸方向）に折り曲げられ、第２ケース１２の内周壁に沿ってＹ軸方向と平行な向きに向かうように形状が調整される。
【００４２】
回路基板１７上にはグランド部が形成されている。アンテナ部１５をグランド部からなるべく離間させるように構成することで、アンテナの放射抵抗を大きくでき利得の低下を防止できる。また、幅ｗ１の大きいアンテナ部１５を採用することにより、アンテナ特性を広帯域にすることができる。アンテナ部１５の一部分が折り曲げて配置されることにより、アンテナ部１５と回路基板１７との間に十分な距離が確保され、広帯域のアンテナ特性を得ることが可能になる。
【００４３】
回路基板１７のグランド部とアンテナ部１５との距離については、例えば数ｍｍ程度の距離を隔てるように配置することが想定される。この距離は筐体１０の大きさや空いている空間の大きさによって制限されることがあるが、使用する無線周波数の波長λに対して、平均的な距離が０．０１λ以上になるように定める必要があり、好ましくは、０．１〜０．２λ程度の距離に定められる。
【００４４】
本実施形態の携帯無線機には、アンテナ部１５の折り曲げ部１５ａがフレキシブルプリント基板１４と共に折り曲げた状態で保持されるために、折り曲げ状態保持部１１ｂとしてリブ状の突起が第１ケース１１側に設けられている。この折り曲げ状態を維持するために、様々な変形例が考えられる。
【００４５】
例えば、図７に示した変形例１においては、前述の折り曲げ状態保持部１１ｂの代わりに、フレキシブルプリント基板１４の折り曲げ部１４ｂの厚みと同程度の間隙を凹部として有する折り曲げ状態保持部１１ｃが、第１ケース１１の底部に形成されている。従って、折り曲げ状態保持部１１ｃの凹部にフレキシブルプリント基板１４の折り曲げ部１４ｂを差し込んで折り曲げた状態で挟持され、折り曲げられた形状を保持することができる。従って、アンテナ部１５の折り曲げ部１５ａも折り曲げ状態保持部１１ｃに保持されることになる。
【００４６】
また、図８に示した変形例２においては、第２ケース１２側に、第１ケース１１に向かって突出した突起が折り曲げ状態保持部１２ｂとして形成されている。すなわち、第１ケース１１と第２ケース１２とを組み付けると、折り曲げ状態保持部１２ｂの突起と第１ケース１１の内壁面との間にフレキシブルプリント基板１４の厚み程度の寸法の間隙が形成され、この間隙に沿ってフレキシブルプリント基板１４の折り曲げ部１４ｂが折り曲げられた状態で挟持され、折り曲げられた形状を保持することができる。従って、アンテナ部１５の折り曲げ部１５ａも折り曲げ状態保持部１２ｂに保持されることになる。
【００４７】
図１〜図６に示した携帯無線機においては、最も単純な構成のモノポールアンテナを筐体１０内に収容する場合を想定して説明したが、様々な種類の他のアンテナについても、図１〜図６の構成と同様に携帯無線機に内蔵できる。
【００４８】
例えば、図９、図１０に示す変形例３においては、ダイポールアンテナを携帯無線機の筐体１０内に収容する場合を想定している。すなわち、フレキシブルプリント基板１４上に２つのアンテナエレメントが形成され、１つのダイポールアンテナとして機能するアンテナ部１５が形成されている。また、この携帯無線機は、平衡−不平衡の変換のために給電部ピン２３と整合回路２４との間にバラン２８が設けられている。
【００４９】
同様に、図１１、図１２に示す変形例４においては、逆Ｆアンテナを携帯無線機の筐体１０内に収容する場合を想定している。逆Ｆアンテナとして機能するアンテナ部１５がフレキシブルプリント基板１４上に形成されている。なお、符号２９は回路基板１７のグランド部に接続される接地ピンを表している。
【００５０】
また、図１３、図１４に示す変形例５においては、不平衡系のループアンテナとして機能するアンテナ部１５を携帯無線機の筐体１０内に収容する場合を想定し、図１５、図１６に示す変形例６においては、平衡系のループアンテナとして機能するアンテナ部１５を携帯無線機の筐体１０内に収容する場合を想定している。いずれの変形例においても、ループアンテナのアンテナ部１５がフレキシブルプリント基板１４上に形成される。
【００５１】
また、複数の独立したアンテナを携帯無線機の筐体１０内に収容することもできる。図１７に示す変形例７においては、互いに独立したアンテナとして機能する２つのアンテナ部１５をフレキシブルプリント基板１４上の互いに異なる位置（ここでは、Ｙ軸方向における反対側端部）に配置してある。第１アンテナとしてのアンテナ部１５は第１給電ピン２３ａおよび第１整合回路２４ａを介して第１無線部２６ａと接続され、第２アンテナとしてのアンテナ部１５は第２給電ピン２３ｂおよび第２整合回路２４ｂを介して第２無線部２６ｂと接続されている。
【００５２】
なお、本実施形態では形状が変化しない筐体１０を用いる場合を想定したが、携帯電話端末などの携帯無線機は開閉やスライドにより筐体１０の形状を変更可能な筐体を用いる場合も多い。変形可能な筐体は、例えば互いに独立した上筐体と下筐体とをヒンジ等を介して連結することにより構成される。このような変形可能な筐体を用いる場合には、上筐体と下筐体のいずれか一方に無線回路が搭載された回路基板１７を収容し、他方の筐体にアンテナ部１５を含むフレキシブルプリント基板１４や環状弾性部材１３を収容する構成も想定することができる。
【００５３】
このように、本実施形態の携帯無線機は、第１ケース１１と第２ケース１２とが組み合わされる筐体１０を有する携帯無線機であって、第１ケース１１と第２ケース１２とで挟持された環状弾性部材１３と、環状弾性部材１３と一体に形成され、環状弾性部材１３で囲まれた領域内に配設されたフレキシブルプリント基板１４と、フレキシブルプリント基板１４上に、第１ケース１１及び第２ケース１２の少なくとも一方が有する互いに方向が異なる複数の内壁面に沿って配設されるアンテナ部１５と、環状弾性部材１３で囲まれた領域内に配設された回路基板１７と、を備えている。
【００５４】
このような本実施形態の携帯無線機によれば、防水機能、防塵機能を有し、アンテナ利得の低下を防止でき、しかも広帯域の特性を有するアンテナ部１５を小型の筐体１０内に収容可能になる。すなわち、アンテナ部１５が折り曲げ部１５ａを有しているので、幅ｗ１の広いアンテナ部１５を狭い空間に収容することが可能になる。そのため、筐体１０が小型であっても、筐体１０内の回路基板１７のグランド部とアンテナ部１５とを離間してアンテナ利得の低下を抑制できる。また、幅ｗ１の広いアンテナ部１５を用いることにより、アンテナの特性を広帯域化できる。
【産業上の利用可能性】
【００５５】
本発明は、防水機能を有し、アンテナ利得の低下を防止すると共に、広帯域の特性を有するアンテナを小型の筐体内に収容可能な携帯無線機等に有用である。
【符号の説明】
【００５６】
１０  筐体
１１  第１ケース
１１ａ  弾性部材保持部
１１ｂ、１１ｃ  折り曲げ状態保持部
１２  第２ケース
１２ａ  弾性部材保持部
１２ｂ  折り曲げ状態保持部
１３  環状弾性部材
１４  フレキシブルプリント基板
１４ａ  延出部
１４ｂ  折り曲げ部
１５  アンテナ部
１５ａ  折り曲げ部
１６  給電部
１７  回路基板
１８  電気回路部
１９  第１給電部
２１  環状防水部
２２  延長部
２３  給電ピン（第２給電部）
２４  整合回路
２５  給電ランド
２６  無線部
２８  バラン
２９  接地ピン
３１  基準軸
３２，３３  切り込み
【図１】
2011035822.tif 000003
【図２】
2011035822.tif 000004
【図３】
2011035822.tif 000005
【図４】
2011035822.tif 000006
【図５】
2011035822.tif 000007
【図６】
2011035822.tif 000008
【図７】
2011035822.tif 000009
【図８】
2011035822.tif 000010
【図９】
2011035822.tif 000011
【図１０】
2011035822.tif 000012
【図１１】
2011035822.tif 000013
【図１２】
2011035822.tif 000014
【図１３】
2011035822.tif 000015
【図１４】
2011035822.tif 000016
【図１５】
2011035822.tif 000017
【図１６】
2011035822.tif 000018
【図１７】
2011035822.tif 000019